(57)【要約】　　　（修正有）【課題】実用性と装飾性、娯楽性を兼備した起き上がり小法師型バイブレーターを提供する。【解決手段】揺動曲面１４を有する下半部１１と、人形又は動物玩具の外形を有する上半部１２とから成るケース状本体１３を有し、ケース状本体１３の下半部１１の内部に起き上がり小法師のための重り１６を配置し、重り１６の上位に基盤２０を配置するとともに、基盤２０の片面には電源装置２８を、他の片面には振動装置２５を夫々取り付けた構成を有する起き上がり小法師型バイブレーター。【選択図】　　　　図１
0003097552.tif 000002
【実用新案登録請求の範囲】
【請求項１】
起き上がり小法師の形状、構造を有するバイブレーターであって、揺動曲面を有する下半部と、人形又は動物玩具の外形を有する上半部とから成るケース状本体を有し、ケース状本体の下半部の内部に起き上がり小法師のための重りを配置し、重りの上位に基盤を配置するとともに、基盤の片面には電源装置、基盤の他の片面には振動装置を取り付けた構成を有する起き上がり小法師型バイブレーター。
【請求項２】
人形又は動物玩具の外形を有する上半部が、手で持つための部分となり、重りを内蔵した下半部が振動する部分となるように構成されている請求項１記載の起き上がり小法師型バイブレーター。
【請求項３】
振動装置と電源装置を設けるための基盤は、左右対称に上下に配置され、前記の重りと共に、ケース状本体の下半部に、ねじ止め等の手段によって固定された構成を有している請求項１記載の起き上がり小法師型バイブレーター。
【考案の詳細な説明】
【０００１】
【考案の属する技術分野】
本考案は起き上がり小法師の形状、構造を有するバイブレーターに関するものである。
【０００２】
【従来の技術】
手持ち式のバイブレーターは公知であり、様々な形状、大きさのものが市販されているが、基本的には細長いペンホルダー型であり、ペン先に相当する箇所に振動部分が設けられている実用一点張りのものである。必然的にそのような形態となっているのであるが、本出願人は、実用性と装飾性等を兼備するバイブレーターを追及した結果、本考案のものに到達することができた。なお変り種のバイブレーターとしては実開平６−８３０２３号があるが、同号のものの形態と機能との間には格別の関係がない。
【０００３】
【考案が解決しようとする課題】
従って本考案の課題は、実用性と装飾性、娯楽性とを兼備した起き上がり小法師型バイブレーターを提供することである。また本考案の他の課題は、起き上がり小法師の構造機能とバイブレーターの構造機能とが一致している起き上がり小法師型バイブレーターを提供することである。
【０００４】
【課題を解決するための手段】
前記の課題解決するため本考案は、揺動曲面を有する下半部と、人形又は動物玩具の外形を有する上半部とから成るケース状本体を有し、ケース状本体の下半部の内部に起き上がり小法師のための重りを配置し、重りの上位に基盤を配置するとともに、基盤の片面には電源装置、基盤の他の片面には振動装置を取り付けるという手段を講じたものである。
【０００５】
本考案の起き上がり小法師型バイブレーターは、文字通り起き上がり小法師の形状、構造を有しており、従って倒してもすぐに起き上がる。この考案のバイブレーターは、下半部と、上半部とから成るケース状本体を有し、下半部には、主として揺動曲面を構成するという形態的な条件が求められる。その一方、上半部には、主として人形又は動物玩具の外形が装飾性のために求められる。しかし、下半部と上半部の境界をどの位置に設定するかは任意に決められる。揺動曲面として代表的なものは半球状、半円筒状等である。
【０００６】
ケース状本体の半球状等の下半部には、起き上がり小法師の機能上必要なもう一つの要素である重りを配置する。重りは、ケース状本体の下半部の空間を満たすような形態を有しており、かつ振動を目的箇所に伝達する機能を果たすものであることが望ましい。
【０００７】
重りの上位に配置する基盤は、電源装置と、それによって作動する振動装置とを取り付けるための基盤である。振動装置と電源装置を設けるための基盤は、左右対称、かつ上下に配置され、前記の重りと共に、ケース状本体の下半部に、ねじ止め等の手段によって固定されることが望ましい（請求項３）。振動装置は、偏心重りによるもの、或いは、電鈴に用いられるような電磁式振動を生じるものなど、を適用することができる。
【０００８】
この起き上がり小法師型バイブレーターは、上半部を持って下半部を目的箇所に押し当て、振動を加えるように使用することができる（請求項２）。つまり、起き上がり小法師の軽い上部が手で摘み持つ部分となり、重りが振動を発生し、目的箇所へ伝達する部分となるので、構造機能が相互に一致している。
【０００９】
【考案の実施の形態】
以下図示の実施形態を参照して本考案をより詳細に説明する。図１は、本考案に係る起き上がり小法師型バイブレーター１０を動物玩具型の起き上がり小法師とした例示であり、外観は、半球状の下半部１１と、動物の上半身を型取った上半部１２とから成るケース状本体１３によって与えられる。下半部１１には揺動曲面１４があり、上半部１２にはバイブレーターとして使用するために持つ部分１５となる頭部がある。
【００１０】
中空殻状である下半部内には、その中空部をほぼ埋める大きさ、形状を有するほぼ半球状の重り１６が嵌め込まれる。下半部１１には固定用の突軸１７が複数個設けてあり、これに嵌まり込む縦孔１８が重り１６の方に設けられている。１９は、重り上面の凹部を示す。
【００１１】
基盤２０は、重り上面に重ねて配置され、下半部１１の円形開口を閉じる大きさの円盤２１と、上半部１２の開口内に嵌合する円形枠２２とを有していて、止めねじ２３を、前記の突軸１７に設けられている縦穴にねじ込むことによって重り１６とともに、下半部１１に固定され一体化する。
【００１２】
基盤２０は上面に電池ボックス２４を有しており、また下面には振動装置２５が取り付けられている。振動装置２５は電動モーター２６と偏芯重り２７とから成り、重りの凹部１９に丁度収まる形態に設けられている。重り１６は左右対称に作製されており、振動装置２５及びその電源装置である電池２８は基板中央に上下に配列されているので、本考案の起き上がり小法師型バイブレーターは、常に全体が真直ぐに立つようになり、適度の安定感を持って揺り動かすことができる。
【００１３】
一方、スイッチ２９を投入して振動装置２５を作動させると、その振動は基盤２０と重り１６及びこれらを収めてある下半部１１に伝達される。重り１６があるために、下半部１１の重量が上半部１２に比較して大きく、また頭部（１５）を持つことによって質量の大きい重り１６を中心とする振動が生じ、身体の適当な箇所に下半部１１を押し当てると、当該箇所に振動によるマッサージを施せることになる。
【００１４】
【考案の効果】
本考案は以上の如く構成されかつ作用するものであるから、実用性と装飾性、娯楽性を兼備した起き上がり小法師型バイブレーターを提供することができるものであり、かつまた起き上がり小法師としての構造とバイブレーターとしての機能が一致して、好適なマッサージ効果を発揮するという効果を奏する。
【図面の簡単な説明】
【図１】本考案に係る起き上がり小法師型バイブレーター１の１実施形態を示す分解斜視図。
【図２】同じく内部構造を示す正面断面図。
【図３】同様に側面断面図。
【符号の説明】
１０　起き上がり小法師型バイブレーター
１１　　下半部
１２　　上半部
１３　ケース状本体
１４　揺動曲面
１６　重り
２０　基盤
２４　電池ボックス
２５　振動装置
２８　電源装置である電池
【図１】
0003097552.tif 000003
【図２】
0003097552.tif 000004
【図３】
0003097552.tif 000005